(57)【要約】【課題】両面発光器の、棒状ランプの使用本数を減らす。【解決手段】一方の面が発光面11、他方の面が反射面12である２枚の導光板１、１を反射面側を背合わせにして突合せ、両導光板１、１の端面に跨って溝３を開設し、該溝に光源４を配備する。  両導光板１、１に個別に棒状ランプ41を配備するのに較べて、棒状ランプ41の本数を減らすことができる。【選択図】図３
0003137175.tif 000002
【実用新案登録請求の範囲】
【請求項１】
一方の面が発光面(11)、他方の面が反射面(12)である２枚の導光板(１)(１)を、反射面側を背合わせにして突き合わせ、両導光板(１)(１)の端面に跨って溝(３)を開設し、該溝に光源(４)を配備している、両面発光器。
【請求項２】
光源(４)を含む２枚の導光板(１)(１)の外周部にフレーム(７)が被さっている、請求項１に記載の両面発光器。
【請求項３】
光源(４)は棒状ランプ(41)である、請求項１又は２に記載の両面発光器。
【請求項４】
光源(４)は複数本の棒状ランプ(41)(41)であり、隣り合う棒状ランプ(41)(41)の端部どうしが重なり合っている、請求項１乃至３の何れかに記載の両面発光器。
【考案の詳細な説明】
【技術分野】
【０００１】
本考案は、パネルの両面から面発光する両面発光器に関する。
【背景技術】
【０００２】
従来のこの種両面発光器は、一方の面が発光面、他方の面が反射面である２枚の導光板を反射面側を背合わせにして突き合せ、各導光板の端面に個別に棒状ランプを配備している。
【考案の開示】
【考案が解決しようとする課題】
【０００３】
上記従来の面発光装置の場合、２枚の導光板に個別に棒状ランプを配備しているため、ランプの本数が増えて製造コストが高くつく。
又、棒状ランプは、導光板の外側に位置しているから、棒状ランプを含んで導光板の外周を枠体で覆うとき、棒状ランプの分だけフレームを大きくしなければならない  従って、有効発光面の大きさに対してフレームが大きくなり過ぎてデザイン的な制約を受ける。
本考案は、上記問題を解決できる両面発光装置を明らかにするものである。
【課題を解決するための手段】
【０００４】
請求項１の両面発光器は、一方の面が発光面(11)、他方の面が反射面(12)である２枚の導光板(１)(１)を、反射面側を背合わせにして突き合わせ、両導光板(１)(１)の端面に跨って溝(３)を開設し、該溝に光源(４)を配備している。
【０００５】
請求項２は請求項１の両面発光器において、光源(４)を含む両導光板(１)(１)の外周をフレーム(７)で包囲している。
【０００６】
請求項３は請求項１又は２に記載の両面発光器において、光源(４)は棒状ランプ(41)である。
【０００７】
請求項４は請求項１乃至３の何れかに記載の両面発光器において、光源は複数本の棒状ランプ(41)(41)であり、隣り合う棒状ランプ(41)(41)の端部どうしが重なっている。
【考案の効果】
【０００８】
請求項１の面発光器は、背合わせにした２枚の導光板(１)(１)に対して、共通の光源(４)で面発光させるから、両導光板(１)(１)に対して個別の光源を配備する従来例に較べて、光源(４)の個数を減らすことができ、両面発光器の製造コストを下げることができる。
又、導光板(１)(１)に跨って開設した溝(３)に光源(４)を収容しているから、光源(４)を含む導光板(１)(１)の外周大きさを小さくできる。
【０００９】
請求項２の面発光器は、請求項１と同様の効果を奏する。又、導光板(１)(１)からの光源(４)の出っ張りを無くす或いは小さくできるから、フレーム(７)も小さくて済み、フレーム(７)によって発光器(７)のデザイン的な制約を受けることが少なくなる。
【００１０】
請求項３の面発光器は、請求項１と同様の効果を奏する。
又、棒状ランプ(41)は直径２.４mm程度の細管のものを使用できるので、導光板(１)(１)の溝(３)が深くなくても、棒状ランプ(41)を該溝内に収容できる。
【００１１】
請求項４の面発光器は、請求項１と同様の効果を奏する。
又、隣り合う棒状ランプ(41)(41)の端部どうしが突き合わさる様に配備されている場合、棒状ランプ(41)(41)間が暗くなって、発光面(11)に輝度斑が生じる。隣り合う棒状ランプ(41)(41)の端部どうしが重なっているから、その問題は生じない。
【考案を実施するための最良の形態】
【００１２】
図１は、両面発光器の正面図であり、図２は、図１Ａ−Ａ線に沿う断面図である。
実施例の両面発光器は横長の長方形であるが、これに限定されないのは勿論である。
【００１３】
両面発光器は、２枚の導光板(１)(１)を用いている。
導光板(１)(１)は、夫々アクリル樹脂等、透明度の高い樹脂やガラスで形成され、発光面(11)である正面に対して、背面が反射面(12)となっている。
導光板(１)(１)の反射面(12)は、導光板に微細な凹凸を形成し、更に反射シート(12b)を被せて形成されている。
【００１４】
実施例では、レーザ照射によって、導光板(１)の長手方向と平行に多数の極細溝(12a)を開設して形成して凹凸を形成しているが、機械加工や導光板(１)を射出成形する際に凹凸を形成することもできる。又、導光板(１)にドット印刷を施して凹凸に代えることができる。
【００１５】
上記２枚の導光板(１)(１)を背合わせにして、導光板(１)(１)の長手方向に沿う端面の内、一方の端面の全長に亘って、両導光板(１)(２)に跨って溝(３)を開設する。
上記溝(３)に光源(４)である棒状ランプ(41)を収容する。棒状ランプ(４)は直径２.４mmの細管である。
【００１６】
両導光板(１)(１)の発光面(11)(11)の外周にスペーサ枠(５)(５)を当て、スペーサ枠(５)(５)の外から半透明の光拡散板(６)(６)を導光板(１)(１)に被せる。
棒状ランプ(41)、光拡散板(６)(６)の外周部を含んで導光板(１)(１)の全周に枠体(７)を被せて、面発光器を構成する。
【００１７】
然して、上記面発光器は、背合わせにした２枚の導光板(１)(１)に対して、共通の棒状ランプ(41)からの光を導光板(１)(１)の端面から内部へ導いて面発光させるから、両導光板(１)(１)に対して個別の棒状ランプを配備する場合に較べて、棒状ランプ(41)の本数を減らすことができ、両面発光器の製造コストを下げることができる。
又、導光板(１)(１)に跨って開設した溝(３)に棒状ランプ(41)を収容しているから、棒状ランプ(41)を含む導光板(１)(１)の外周の大きさを小さくできる。
【００１８】
又、導光板(１)(１)からの棒状ランプ(41)の出っ張りを無くすことができるから、フレーム(７)も小さくて済み、フレーム(７)によって発光器(７)のデザイン的な制約を受けることが少なくなる。
【００１９】
導光板(１)(１)の大きさが、一例として、長さ４２０mm、幅３００mmである場合において、長さ４２０mm、直径２.４mmの棒状ランプ(41)を、従前の様に両導光板(１)(１)の端面に個別に各１本づつ配備した場合の、発光面(11)の照度は  ３０００ＬＸ程度であった。
本考案では、同上の大きさの導光板(１)(１)に開設した溝(３)に、同上の棒状ランプ(41)を１本配備した場合の、発光面の照度は２１００ＸＬ程度であった。
本願考案の場合、従来例に較べて、使用する棒状ランプ(41)の本数は１／２で済み、発光面の輝度は約７０％を確保でき、十分に実用に耐える。
【００２０】
図４は、大きな導光板(１)(１)の場合において、複数本の棒状ランプ(41)(41)を溝(２)の長手方向に並べて収容する状態を示している。隣り合う棒状ランプ(41)(41)は端部が重なり合う様にして並んでいる。
隣り合う棒状ランプ(41)(41)の端部どうし突き合わさる様に配備されていた場合、棒状ランプ(41)(41)が暗くなって、発光面(11)に輝度斑が生じるが、図４の場合、隣り合う棒状ランプ(41)(41)の端部どうしが重なっているから、その問題は生じない。
【００２１】
尚、図４の場合、出願人が以前に提案した登録実用新案第３１１４１８９で明らかにしたランプユニットを実施することによって、交換が必要な棒状ランプだけを交換することができる。
【００２２】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求請求の範囲に記載の技術的範囲内で種々の変形が可能である。
【００２３】
例えば、導光板(１)(１)の対向する２つの端面に溝(３)を開設して、両溝に棒状ランプ(41)を収容することもできる。
【００２４】
又、光源(４)は、棒状ライト(41)に限らず、発光ダイオードを溝(３)に収容して配備しても実施可能である。
【図面の簡単な説明】
【００２５】
【図１】両面発光器の正面図である。
【図２】図１Ａ−Ａ線に沿う断面図である。
【図３】図２の要部拡大図である。
【図４】他の実施例の要部斜面図である。
【符号の説明】
【００２６】
１  導光板
３  溝
４  光源
41  棒状ライト
７  枠体
【図１】
0003137175.tif 000003
【図２】
0003137175.tif 000004
【図３】
0003137175.tif 000005
【図４】
0003137175.tif 000006